(57)【特許請求の範囲】
【請求項１】
第１の表示手段と、
表示可能な態様が前記第１の表示手段とは異なる第２の表示手段と、
第１の情報を第１の表示手段に表示させる第１表示制御手段と、
前記第１の情報の少なくとも一部と、第２の表示手段によって表示される場合と同じ態様で前記第１の表示手段に表示することが不能である第２の情報とを、前記第２の表示手段に表示させる第２表示制御手段と、
前記第１表示制御手段による制御もしくは第２表示制御手段による制御を択一的に選択する表示選択手段と、
を備え、
前記表示選択手段は、前記第２の情報を前記第２の表示手段に表示させる場合、その時点で前記第１の表示手段に表示されている情報と同一の情報を前記第２の表示手段にも同時に表示させる前記第２表示制御手段による制御を選択し、その後前記第１の表示手段を停止させる前記第１表示制御手段による制御を選択し、その後前記第２の情報を前記第２の表示手段に表示させる前記第２表示制御手段による制御を選択することを特徴とする表示制御装置。
【請求項２】
前記第２の情報を取得する情報取得手段と、
前記情報取得手段が、前記第２の情報を取得したか否かを判定する判定手段と、を備え、
前記表示選択手段は、前記情報取得手段が前記第２の情報を取得したと前記判定手段が判定した場合に、前記第２表示制御手段の制御を選択することを特徴とする請求項１に記載の表示制御装置。
【請求項３】
前記第１表示制御手段が、前記第１の表示手段に前記第１の情報を表示させている状態で前記情報取得手段が前記第２の情報を取得したと前記判定手段が判定した場合に、前記表示選択手段は、前記第１表示制御手段による前記第１の表示手段の制御を止めて、前記第１の情報及び前記第２の情報を前記第２の表示手段に表示させるように前記第２表示制御手段の制御を選択することを特徴とする請求項２に記載の表示制御装置。
【請求項４】
前記情報取得手段が前記第２の情報を取得したと前記判定手段が判定した場合に、前記表示選択手段は、前記第１の情報の一部及び前記第２の情報を前記第２の表示手段に表示させるように前記第２表示制御手段の制御を選択することを特徴とする請求項２又は３に記載の表示制御装置。
【請求項５】
前記情報取得手段は、当該表示制御装置と通信によって接続された他の装置より前記第１の情報を取得することを特徴とする請求項２から４のいずれかに１項に記載の表示制御装置。
【請求項６】
前記第１の表示手段は前記第２の表示手段よりも消費電力が低いことを特徴とする請求項１から５のいずれか１項に記載の表示制御装置。
【請求項７】
前記第１の表示手段は単純マトリクス型の液晶表示装置であり、前記第２の表示手段はアクティブマトリックス型の液晶表示装置であることを特徴とする請求項１から６のいずれか１項に記載の表示制御装置。
【請求項８】
前記第２の表示手段のみで所定の情報を常時表示する第１モードと、前記表示選択手段により前記第１表示制御手段又は前記第２表示制御手段を所定のタイミングで切り替える第２のモードとを切り替えるモード切替手段を備え、
前記モード切替手段により、前記第１モードに切り替えられると、前記表示選択手段は、第２の表示手段に所定の情報を常に表示するように前記第２表示制御手段の制御を選択することを特徴とする請求項１から７のいずれか１項に記載の表示制御装置。
【請求項９】
前記第１の表示手段のみで所定の情報を常時表示する第３のモードと、前記表示選択手段により前記第１表示制御手段又は前記第２表示制御手段を所定のタイミングで切り替える第２のモードとを切り替えるモード切替手段を備え、
前記モード切替手段により、前記第３のモードに切り替えられると、前記表示選択手段は、前記第１の表示手段に前記第１の情報のみを常に表示するように前記第１表示制御手段の制御を選択することを特徴とする請求項１から７のいずれか１項に記載の表示制御装置。
【請求項１０】
前記第２の表示手段により、前記第１の情報及び第２の情報が表示された時間をカウントする時間カウント手段を備え、
前記時間カウント手段によりカウントされた時間が所定の時間を過ぎた場合、前記表示選択手段は、第２表示制御手段による前記第２の表示手段の制御を止めて、前記第１の情報のみを前記第１の表示手段に表示させるように前記第１表示制御手段の制御を選択することを特徴とする請求項１から９のいずれか１項に記載の表示制御装置。
【請求項１１】
前記第２の表示手段に表示する際の前記第１の情報の形態と、前記第１の表示手段に表示する際の前記第１の情報の形態とは異なることを特徴する請求項１から１０のいずれか１項に記載の表示制御装置。
【請求項１２】
第１の表示手段と、
表示可能な態様が前記第１の表示手段とは異なる第２の表示手段と、
を備える情報処理装置が実行する表示制御方法であって、
第１の情報を第１の表示手段に表示させる第１表示制御ステップと、
前記第１の情報の少なくとも一部と、第２の表示手段によって表示される場合と同じ態様で前記第１の表示手段に表示することが不能である第２の情報とを、前記第２の表示手段に表示させる第２表示制御ステップと、
前記第１表示制御ステップによる制御もしくは第２表示制御ステップによる制御を択一的に選択する表示選択ステップと、
を備え、
前記表示選択ステップは、前記第２の情報を前記第２の表示手段に表示させる場合、その時点で前記第１の表示手段に表示されている情報と同一の情報を前記第２の表示手段にも同時に表示させる前記第２表示制御ステップによる制御を選択し、その後前記第１の表示手段を停止させる前記第１表示制御ステップによる制御を選択し、その後前記第２の情報を前記第２の表示手段に表示させる前記第２表示制御ステップによる制御を選択することを特徴とする表示制御方法。
【請求項１３】
第１の表示手段と、
表示可能な態様が前記第１の表示手段とは異なる第２の表示手段と、
を備える情報処理装置を制御するコンピュータに、
第１の情報を第１の表示手段に表示させる第１表示制御機能と、
前記第１の情報の少なくとも一部と、第２の表示手段によって表示される場合と同じ態様で前記第１の表示手段に表示することが不能である第２の情報とを、前記第２の表示手段に表示させる第２表示制御機能と、
前記第１表示制御機能による制御もしくは第２表示制御機能による制御を択一的に選択し、前記第２の情報を前記第２の表示手段に表示させる場合、その時点で前記第１の表示手段に表示されている情報と同一の情報を前記第２の表示手段にも同時に表示させる前記第２表示制御機能による制御を選択し、その後前記第１の表示手段を停止させる前記第１表示制御機能による制御を選択し、その後前記第２の情報を前記第２の表示手段に表示させる前記第２表示制御機能による制御を選択する表示選択機能と、
を実現させることを特徴とするプログラム。
【発明の詳細な説明】
【技術分野】
【０００１】
本発明は、表示制御装置、表示制御方法及びプログラムに関する。
【背景技術】
【０００２】
従来、２層の表示装置で表示を行う電子装置であって、各々の表示装置に異なる情報を表示する装置が知られている。
このような構成の装置は、例えば特許文献１に記載されている。
【先行技術文献】
【特許文献】
【０００３】
【特許文献１】特開２０００−１７１８２１号公報
【発明の概要】
【発明が解決しようとする課題】
【０００４】
しかしながら、上記のような表示装置を有する電子装置では、第１の表示装置で表示できるものの第２の表示装置では表示できない情報が存在した場合に、第１の表示装置で当該情報を表示し、第２の表示装置でその他の情報を表示して、これらを重ねて表示することとしていた。ところが、このような表示形態では、第１の表示装置と第２の表示装置とを同時に起動させる必要があり、電力を多く消費することとなっていた。
【０００５】
本発明は、このような状況に鑑みてなされたものであり、複数の表示装置を有する装置において、より低消費電力で表示を行うことを目的とする。
【課題を解決するための手段】
【０００６】
上記目的を達成するため、本発明の一態様の表示制御装置は、
第１の表示手段と、
表示可能な態様が前記第１の表示手段とは異なる第２の表示手段と、
第１の情報を第１の表示手段に表示させる第１表示制御手段と、
前記第１の情報の少なくとも一部と、第２の表示手段によって表示される場合と同じ態様で前記第１の表示手段に表示することが不能である第２の情報とを、前記第２の表示手段に表示させる第２表示制御手段と、
前記第１表示制御手段による制御もしくは第２表示制御手段による制御を択一的に選択する表示選択手段と、
を備え、
前記表示選択手段は、前記第２の情報を前記第２の表示手段に表示させる場合、その時点で前記第１の表示手段に表示されている情報と同一の情報を前記第２の表示手段にも同時に表示させる前記第２表示制御手段による制御を選択し、その後前記第１の表示手段を停止させる前記第１表示制御手段による制御を選択し、その後前記第２の情報を前記第２の表示手段に表示させる前記第２表示制御手段による制御を選択することを特徴とする。
【発明の効果】
【０００７】
本発明によれば、複数の表示装置を有する装置において、より低消費電力で表示を行うことが可能となる。
【図面の簡単な説明】
【０００８】
【図１】本発明の表示制御装置の一実施形態である情報処理装置の概略図である。
【図２】本実施形態の情報処理装置の概略構成を示すブロック図である。
【図３】情報処理装置が実行する表示制御処理の流れを説明するフローチャートである。
【図４】表示制御処理が実行される際の情報処理装置の表示画面の状態の一例を示す模式図であり、図４（Ａ）はクラシックモードにおける表示状態を示す図、図４（Ｂ）はクラシックモードからインタラクティブモード（またはアンビエントモード）に移行する際の表示状態を示す図、図４（Ｃ）はインタラクティブモード（またはアンビエントモード）における表示状態を示す図である。
【図５】表示モードの切り替え時に表示する情報の大きさを示す模式図であり、図５（Ａ）は、第１表示部に表示される情報のサイズを第２表示部に表示されるサイズよりも大きくした状態を示す図、図５（Ｂ）は、第１表示部に表示される情報のサイズを第２表示部に表示されるサイズよりも小さくした状態を示す図である。
【図６】表示制御処理が実行される際の情報処理装置の表示画面の状態の一例（変形例）を示す模式図であり、図６（Ａ）はクラシックモードにおける表示状態を示す図、図６（Ｂ）はクラシックモードからインタラクティブモード（またはアンビエントモード）に移行する際の表示状態を示す図、図６（Ｃ）はインタラクティブモード（またはアンビエントモード）における表示状態を示す図である。
【発明を実施するための形態】
【０００９】
以下、本発明の実施形態について、図面を用いて説明する。
本実施形態に係る情報処理装置は、スマートウォッチ等のウェアラブルな情報処理装置として構成される。また、情報処理装置は、積層して設置された第１表示部と第２表示部とを備え、第１表示部ではカラー表示により種々の情報を表示し、第２表示部ではモノクロ表示により限定的な情報を表示する。また、情報処理装置では、第２表示部によって限定的な情報（第１の情報）を表示する状態を基本とし、このとき、第１表示部は起動していない状態とされる。そして、カラー表示あるいは多様な内容の表示等、第２表示部では表示できない情報（第２の情報）を表示する必要が生じた場合に、第１表示部が起動され、第２表示部の表示内容（即ち、第１の情報）を模した表示状態を経てから、第２表示部を起動していない状態に移行させると共に、カラー表示あるいは多様な内容の表示等、第２表示部では表示できない情報（即ち、第２の情報）を第１表示部で表示する。
これにより、複数の表示装置を有する装置において、より低消費電力で表示を行うことが可能となる。
【００１０】
［構成］
図１は、本発明の表示制御装置の一実施形態である情報処理装置１００の概略図である。
図１に示すように、本実施形態の情報処理装置１００は、腕時計型をなしており、本体部１と、バンド部２と、を備えている。また、情報処理装置１００は、本体部１において表示部１６を備えている。この表示部１６は、第１表示部１６ａ（第２の表示手段）と第２表示部１６ｂ（第１の表示手段）とを有しており、具体的には、第１表示部１６ａの上に第２表示部１６ｂが積層された状態で形成されている。このため、表示部１６は、必要な場合に、第１表示部１６ａの表示（例えば、各種メッセージ等の表示）に第２表示部１６ｂの表示（例えば、時計表示）を重ね合わせて表示することが可能となっている。また、図示は省略するが第２表示部１６ｂの上には操作部１９であるタッチパネルが設けられている。
【００１１】
図２は、本実施形態の情報処理装置１００の概略構成を示すブロック図である。
図２に示すように、情報処理装置１００は、第１ＣＰＵ１１と、第２ＣＰＵ１２と、ＲＯＭ１３と、ＲＡＭ１４と、記憶部１５と、表示部１６（第１表示部１６ａ及び第２表示部１６ｂ）と、第１表示部１６ａの表示を制御する第１表示制御部１７（第２表示制御手段）と、第２表示部１６ｂの表示を制御する第２表示制御部１８（第１表示制御手段）と、操作部１９と、センサ部２０と、ＲＴＣ（Ｒｅａｌ  Ｔｉｍｅ  Ｃｌｏｃｋ）部２１と、通信部２２（情報取得手段）と、電源部２３等を備えている。
【００１２】
第１ＣＰＵ１１は、各種演算処理を行い、ＯＳの処理を実行することにより、情報処理装置１００におけるスマートフォンに類する機能を制御する。本実施形態において、第１ＣＰＵ１１は、通信部２２を介して受信した電子メールの着信や気象情報に関するメッセージの表示等、第１表示制御部１７に対する表示制御の指示を行ったり、その他、スマートフォンに類する機能として実装された各種機能に係る処理を行ったりする。なお、第１ＣＰＵ１１は、第２ＣＰＵ１２が第２表示部１６ｂに表示する腕時計の機能による表示内容と同様の表示内容を、第１表示部１６ａに表示することができる。
また、本実施形態において、第１ＣＰＵ１１は、ＲＴＣ部２１から所定タイミングで時刻信号を取得し、取得した時刻信号を第２ＣＰＵ１２に出力する。さらに、第１ＣＰＵ１１は、第１表示制御部１７に対して、第２ＣＰＵ１２から入力される時刻を表示制御する指示を行う。
なお、第１ＣＰＵ１１の具体的構成については後述する。
【００１３】
第２ＣＰＵ１２は、特定のプログラムの処理を実行することにより、第２表示制御部１８に対する表示制御の指示を行ったり、その他、腕時計の機能として実装された各種機能に係る処理を行ったりする。本実施形態において、第２ＣＰＵ１２は、第１ＣＰＵ１１から入力された時刻信号を基準として、時刻を計算したり、時刻、曜日あるいは日付の表示等、第２表示制御部１８に対する表示制御の指示を行ったりする。また、第２ＣＰＵ１２は、計算した時刻を第１ＣＰＵ１１に出力する。第２ＣＰＵ１２が実行する特定のプログラムの処理は、第１ＣＰＵ１１が実行するＯＳの処理に比べて単純な動作であることから処理負荷が小さく、低消費電力で実行可能である。また、そのため、第２ＣＰＵ１２に要求されるハードウェアのスペックは、第１ＣＰＵ１１に比べて低いもので足りる。
なお、第２ＣＰＵ１２の具体的構成については後述する。
【００１４】
ＲＯＭ１３は、第１ＣＰＵ１１及び第２ＣＰＵ１２それぞれからデータの読み出しが可能であり、第１ＣＰＵ１１及び第２ＣＰＵ１２が実行する種々のプログラムや初期設定データを格納する。例えば、ＲＯＭ１３は、第１ＣＰＵ１１が実行するＯＳのプログラムやＯＳの管理下で実行される各種プログラム、あるいは、第２ＣＰＵ１２が実行する特定のプログラム（ここでは、腕時計の機能を実現する組み込み用プログラム）のプログラムを格納する。
【００１５】
ＲＡＭ１４は、第１ＣＰＵ１１及び第２ＣＰＵ１２それぞれからデータの読み出し及び書き込みが可能であり、第１ＣＰＵ１１及び第２ＣＰＵ１２に作業用のメモリ空間を提供し、作業用の一時データを記憶する。例えば、ＲＡＭ１４は、第１ＣＰＵ１１がＯＳを実行する際のシステム領域やワークエリアを提供したり、第２ＣＰＵ１２が特定のプログラムを実行する際の記憶領域を提供したりする。
【００１６】
記憶部１５は、第１ＣＰＵ１１及び第２ＣＰＵ１２それぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１５には、スマートフォンに類する各種機能や腕時計の機能等において生成された各種データ（各種設定内容のデータ等）が記憶される。
【００１７】
表示部１６は、上述のように第１表示部１６ａと、第２表示部１６ｂと、を備えている。
第１表示部１６ａは、バックライトを有するＴＦＴカラー液晶パネル等のアクティブマトリクス型の液晶表示装置から構成され、後述する第１表示制御部１７の制御下にて各種情報を表示画面に表示する。
【００１８】
第１表示制御部１７は、表示用データを生成して第１表示部１６ａの表示画面に表示させる制御を行う。
本実施形態において、第１表示制御部１７は、例えば、第１ＣＰＵ１１からの表示指示に従って、電子メールの着信や気象情報に関するメッセージの表示データを生成し、第１表示部１６ａから出力させる。
【００１９】
第２表示部１６ｂは、部分的にまたは全体的に光を透過可能なＰＮ（Ｐｏｌｙｍｅｒ  Ｎｅｔｗｏｒｋ）液晶パネル（ここでは単純マトリクス型の液晶表示装置）から構成され、後述する第２表示制御部１８の制御下にて各種情報を表示画面に表示（ここではセグメント表示）する。
本実施形態において、第２表示部１６ｂであるＰＮ液晶パネルは、図１に示すように、上述した第１表示部１６ａであるＴＦＴカラー液晶パネルの表示画面上に積層されている。このＰＮ液晶パネルは、電位が掛けられていない部位では液晶分子が不規則に並び、光を反射するようになっている。つまり、この電位が掛けられていない部位において、ＰＮ液晶パネルによる表示がなされることとなる。一方、電位が掛けられた部位では、液晶分子が表示画面に対して垂直に整列するので、光を透過可能となっている。つまり、この電位が掛けられた部位では、上述のＴＦＴカラー液晶パネルからの光を透過可能となるので、当該ＰＮ液晶パネルを介して当該ＴＦＴカラー液晶パネルによる表示を視認することができる。即ち、本実施形態の表示部１６では、第１表示部１６ａによる表示に第２表示部１６ｂによる表示を重ね合わせた状態で表示することができるようになっている。
【００２０】
第２表示制御部１８は、表示用データを生成して第２表示部１６ｂの表示画面に表示させる制御を行う。
本実施形態において、第２表示制御部１８は、例えば、第２ＣＰＵ１２からの表示指示に従って、時刻画像の表示用データを生成し、第２表示部１６ｂから出力させる。
【００２１】
操作部１９は、第２表示部１６ｂの表示画面上に設けられた静電容量方式のタッチパネルである。操作部１９は、タッチパネル上におけるユーザのタッチ操作位置と操作内容とを検出して当該操作に応じた信号を発生させて、入力信号として第１ＣＰＵ１１に出力する。
【００２２】
センサ部２０は、地磁気センサ、ジャイロセンサ、３軸加速度センサ、気圧センサ、気温センサあるいはＧＰＳ（Ｇｌｏｂａｌ  Ｐｏｓｉｔｉｏｎｉｎｇ  Ｓｙｓｔｅｍ）等を利用した位置センサ等の各種センサを備えている。本実施形態において、センサ部２０の検出信号は、第１ＣＰＵ１１に出力される。なお、センサ部２０の検出信号を第２ＣＰＵ１２にも出力する構成とし、腕時計の機能の一部として、これらセンサの検出信号に基づく情報を表示することとしてもよい。
【００２３】
ＲＴＣ部２１は、水晶振動子等の発振素子を備え、情報処理装置１００の電源がオンとされていない間も、電源部２３からの電力供給または補助電源（一次電池等）からの電力供給によって、継続して時刻をカウントする。本実施形態において、ＲＴＣ部２１は、第１ＣＰＵ１１に対して、カウントした時刻を示す時刻信号を出力する。なお、ＲＴＣ部２１の時刻信号を第２ＣＰＵ１２に出力する構成としてもよい。
【００２４】
通信部２２は、Ｂｌｕｅｔｏｏｔｈ（登録商標）やＢＬＥ（Ｂｌｕｅｔｏｏｔｈ  Ｌｏｗ  Ｅｎｅｒｇｙ）（商標）あるいはＷｉ−Ｆｉ（Ｗｉｒｅｌｅｓｓ  Ｆｉｄｅｌｉｔｙ）等の無線通信機能を備え、他の電子機器（スマートフォン等）と通信を行う。
【００２５】
電源部２３は、情報処理装置１００の動作に係る電力を所定の電圧で供給する。電源部２３は、例えば、各種方式の電池（リチウム電池、ニッケル・水素充電池等）を具備している。本実施形態では、電源部２３から第１ＣＰＵ１１及び第２ＣＰＵ１２に対して電力が供給される。
また、電源部２３は、電池残量を検出し、検出した電池残量を示す信号を第１ＣＰＵ１１に出力する。
【００２６】
次に、第１ＣＰＵ１１及び第２ＣＰＵ１２の具体的構成について説明する。
図２に示すように、第１ＣＰＵ１１は、ハードウェア構成として、プログラムカウンタ１１ａと、制御部１１ｂとを備えている。また、第１ＣＰＵ１１は、ＯＳのプログラムあるいは各種プログラム（後述する表示制御処理等）を実行することにより、時刻取得部１１ｃと、センサ情報取得部１１ｄと、表示処理部１１ｅと、モード設定部１１ｆ（モード切替手段）と、連携処理部１１ｇ（表示選択手段）と、通信処理部１１ｈと、状態判定部１１ｉ（判定手段及び時間カウント手段）とを構成する。
【００２７】
プログラムカウンタ１１ａは、第１ＣＰＵ１１内部に備えられるレジスタであり、次に実行されるプログラムが格納されたＲＡＭ１４のアドレスを記憶している。
制御部１１ｂは、第１ＣＰＵ１１内の各部（不図示のデコード回路や演算回路等）における動作タイミングや動作内容等、第１ＣＰＵ１１においてプログラムを実行するための動作を管理する。また、制御部１１ｂは、プログラムカウンタ１１ａに、次に実行されるプログラムが格納されたＲＡＭ１４のアドレスを逐次書き込む。
【００２８】
時刻取得部１１ｃは、ＲＴＣ部２１から所定タイミング（例えば起動時や時刻の調整時等）で時刻信号を取得する。そして、時刻取得部１１ｃは、取得した時刻信号を第２ＣＰＵ１２に出力する。また、時刻取得部１１ｃは、第２ＣＰＵ１２によって計算され、出力される時刻を取得する。
【００２９】
センサ情報取得部１１ｄは、センサ部２０に備えられた各種センサの検出信号を取得する。
表示処理部１１ｅは、各機能部が取得した情報や処理結果を表示する表示制御のための指示信号を第１表示制御部１７に出力する。
【００３０】
モード設定部１１ｆは、ユーザによる設定または情報処理装置１００の状態に応じて、情報処理装置１００において情報を表示するための複数の表示モードのいずれかを設定する。本実施形態において、情報処理装置１００には、インタラクティブモード、アンビエントモード及びクラシックモードの３つの表示モードが用意されている。
【００３１】
インタラクティブモードは、第１表示部１６ａにおいてカラー表示を含む多様な表示を許容する表示モードである。インタラクティブモードにおいては、例えば、最大３０ｆｐｓでの表示の更新、秒針の表示、フルカラーの表示、アンチエイリアス処理の実行、任意のメッセージの表示、及び、ＯＳの動作に関連する各種情報の表示等が可能である。
【００３２】
アンビエントモードは、第１表示部１６ａにおいて低消費電力な表示を行う表示モードである。アンビエントモードにおいては、第１表示部１６ａのバックライドの輝度をインタラクティブモードよりも低下させた状態で、例えば、１分間に１度の表示の更新、秒針の非表示、グレースケールまたは全面積の所定割合（例えば５％等）以下のカラー表示、条件に応じてアンチエイリアス処理を実行、任意のメッセージの表示、及び、ＯＳの動作に関連する各種情報の表示等が可能である。アンビエントモードでは、第１表示部１６ａのバックライトの輝度が低下されるため、第１表示部１６ａにおける表示デザインが、コントラストがより高くなるデザイン（例えば、線の太さが太い等）とされている。
【００３３】
クラシックモードは、第２表示部１６ｂにおいてモノクロ表示による限定的な表示を行う表示モードである。クラシックモードにおいては、第２表示部１６ｂにおけるセグメント表示によって、腕時計としての時計表示を行う。そのため、任意のメッセージの表示や、ＯＳの動作に関連する各種情報の表示等の多様な表示は行われない。なお、後述するように、表示制御処理において、クラシックモードに設定されている場合に、任意のメッセージの表示等、クラシックモードでは表示できない情報を表示する必要が生じると、クラシックモードからインタラクティブモード（またはアンビエントモード）に切り替えられる。
【００３４】
また、モード設定部１１ｆは、状態判定部１１ｉによって、ユーザが情報処理装置１００を見ていないと判定される状態が一定時間以上継続する場合、インタラクティブモードあるいはアンビエントモードからクラシックモードに切り替える。
また、モード設定部１１ｆは、状態判定部１１ｉによって、電池残量が予め設定された閾値未満であると判定された場合、インタラクティブモードあるいはアンビエントモードからクラシックモードに切り替える。
【００３５】
さらに、モード設定部１１ｆは、状態判定部１１ｉによって、クラシックモードが設定されている状態で、クラシックモードでは表示できない情報を表示する必要が生じていると判定された場合、クラシックモードからインタラクティブモードあるいはアンビエントモードに切り替える。このとき、インタラクティブモードに移行するか、アンビエントモードに移行するかは、予め設定しておくことや、表示される情報に応じて設定すること等が可能である。
【００３６】
連携処理部１１ｇは、第１ＣＰＵ１１と第２ＣＰＵ１２との連携に関する処理を行う。具体的には、連携処理部１１ｇは、第１ＣＰＵ１１による処理と、第２ＣＰＵ１２による処理とが関連性を有する場合に、第１ＣＰＵ１１及び第２ＣＰＵ１２の一方を他方の動作に対応させる処理を行う。例えば、連携処理部１１ｇは、モード設定部１１ｆによってクラシックモードに設定されている場合に、任意のメッセージ、あるいは、ＯＳの動作に関連する各種情報等、クラシックモードでは表示できない情報を表示する（即ち、アンビエントモードあるいはインタラクティブモードに切り替えられる）際に、第１ＣＰＵ１１と第２ＣＰＵ１２とが行う表示制御の指示を対応させる。この場合、連携処理部１１ｇは、第１表示部１６ａと第２表示部１６ｂとに一時的に同一の情報を重畳して表示させた後、インタラクティブモード（またはアンビエントモード）に移行するように、第１ＣＰＵ１１と第２ＣＰＵ１２とが行う表示制御の指示を対応させる。即ち、連携処理部１１ｇは、第２ＣＰＵ１２が第２表示部１６ｂに表示させている表示内容を取得し、第１ＣＰＵ１１の表示処理部１１ｅに通知する。これにより、表示処理部１１ｅから第１表示制御部１７に対して、第２表示部１６ｂの表示内容に対応する表示を行うよう表示制御の指示が行われる。
【００３７】
また、連携処理部１１ｇは、モード設定部１１ｆによってインタラクティブモードまたはアンビエントモードに設定されている場合、第２ＣＰＵ１２に対して、第２表示部１６ｂの動作を停止（光を透過する状態を維持して情報の表示を行わない状態に移行）させる指示を行う。一方、連携処理部１１ｇは、モード設定部１１ｆによってクラシックモードに設定されている場合、第１ＣＰＵ１１に対して、第１表示部１６ａの動作を停止（電源の供給を停止）させる指示を行う。これにより、不要な表示部における電力の消費を抑制し、情報処理装置１００において、低消費電力で必要な表示を行うことが可能となる。
【００３８】
通信処理部１１ｈは、通信部２２を介して受信された情報をその情報に応じた各機能部に出力したり、各機能部から他の電子機器に送信される情報を通信部２２を介して送信したりする。例えば、通信処理部１１ｈは、通信部２２を介して、他の電子機器（ペアリングされたスマートフォン等）から電子メールの着信を通知する情報を受信した場合、受信した情報を表示処理部１１ｅに出力する。
【００３９】
状態判定部１１ｉは、情報処理装置１００における各種状態を判定し、判定結果に応じた処理を行う。例えば、状態判定部１１ｉは、センサ情報取得部１１ｄによって取得されたジャイロセンサ及び３軸加速度センサの検出信号に基づいて、情報処理装置１００が静止しているか（ユーザが静止している状態あるいはユーザの腕に装着されていない状態か）、ユーザが腕をかざし情報処理装置１００を見る場合の姿勢となっているか、ユーザが腕を下げる動作を行ったか、ユーザの腕振り（走行または歩行時に腕を振る動作）が検出されたか等、情報処理装置１００の使用状態を判定する。そして、状態判定部１１ｉは、情報処理装置１００が静止している、ユーザが情報処理装置１００を見る場合の姿勢となっていない、ユーザが腕を下げる動作を行った、あるいは、ユーザの腕振りが検出された等、情報処理装置１００がユーザに見られていない使用状態であると判定した場合、ユーザに見られていない使用状態である旨をモード設定部１１ｆに通知する。なお、これらの使用状態は、例えば、各動作に対応するジャイロセンサ及び３軸加速度センサの信号パターンを記憶部１５に記憶しておき、検出された信号パターンとのマッチングを行うことで判定することができる。
【００４０】
また、状態判定部１１ｉは、電源部２３から入力される電池残量を示す信号に基づいて、電池残量が予め設定された閾値未満であるか否かを判定する。そして、状態判定部１１ｉは、電池残量が予め設定された閾値未満であると判定した場合、電池残量が予め設定された閾値未満である旨をモード設定部１１ｆに通知する。
このような処理により、ユーザが情報処理装置１００の表示画面を見ていない場合や、情報処理装置１００の電池残量が少なくなった場合に、モード設定部１１ｆが、情報処理装置１００における表示をクラシックモードに変更し、第２表示部１６ｂにおける腕時計の表示のみを行うことができる。そのため、第１表示部１６ａ及び第２表示部１６ｂの２つの表示部を有する場合であっても、情報処理装置１００において、より低消費電力で表示を行うことが可能となる。
【００４１】
また、状態判定部１１ｉは、外部からの通信や情報処理装置１００における割り込み処理等により、任意のメッセージの表示、あるいは、ＯＳの動作に関連する各種情報の表示等の必要が生じているか否かを判定する。そして、状態判定部１１ｉは、クラシックモードが設定されている状態で、任意のメッセージの表示、あるいは、ＯＳの動作に関連する各種情報の表示等の必要が生じている場合、クラシックモードでは表示できない情報を表示する必要が生じている旨をモード設定部１１ｆに通知する。これにより、モード設定部１１ｆによって、インタラクティブモード（またはアンビエントモード）に移行するよう表示モードが設定される。
このような処理により、クラシックモードからインタラクティブモードあるいはアンビエントモードに移行する際に、表示画面をスムーズに移行させることができ、ユーザに違和感を与えることを抑制できる。
【００４２】
また、図２に示すように、第２ＣＰＵ１２は、ハードウェア構成として、プログラムカウンタ１２ａと、制御部１２ｂとを備えている。また、第２ＣＰＵ１２は、特定のプログラムを実行することにより、計時部１２ｃと、表示処理部１２ｄとを構成する。
【００４３】
プログラムカウンタ１２ａは、第２ＣＰＵ１２内部に備えられるレジスタであり、次に実行されるプログラムが格納されたＲＡＭ１４のアドレスを記憶している。
制御部１２ｂは、第２ＣＰＵ１２内の各部（不図示のデコード回路や演算回路等）における動作タイミングや動作内容等、第２ＣＰＵ１２においてプログラムを実行するための動作を管理する。また、制御部１２ｂは、プログラムカウンタ１２ａに、次に実行されるプログラムが格納されたＲＡＭ１４のアドレスを逐次書き込む。
【００４４】
計時部１２ｃは、第１ＣＰＵ１１から入力される時刻信号に基づいて、時刻を計算する。そして、計時部１２ｃは、計算した時刻を第１ＣＰＵ１１に出力する。
表示処理部１２ｄは、情報処理装置１００がクラシックモードに設定されている場合に、計時部１２ｃの処理結果を表示する表示制御のための指示信号を第２表示制御部１８に出力する。
【００４５】
［動作］
次に、動作を説明する。
図３は、情報処理装置１００が実行する表示制御処理の流れを説明するフローチャートである。
また、図４（Ａ）〜図４（Ｃ）は、表示制御処理が実行される際の情報処理装置１００の表示画面の状態の一例を示す模式図であり、図４（Ａ）はクラシックモードにおける表示状態を示す図、図４（Ｂ）はクラシックモードからインタラクティブモード（またはアンビエントモード）に移行する際の表示状態を示す図、図４（Ｃ）はインタラクティブモード（またはアンビエントモード）における表示状態を示す図である。
以下、図４を適宜参照しつつ、図３に示す表示制御処理について説明する。
表示制御処理は、情報処理装置１００の電源投入と共に開始され、情報処理装置１００の電源がオフとされるまで、繰り返し実行される。
【００４６】
ステップＳ１において、モード設定部１１ｆは、ユーザによる設定に応じて、インタラクティブモード、アンビエントモードあるいはクラシックモードのいずれかの表示モードを設定する。
【００４７】
ステップＳ２において、状態判定部１１ｉは、電源部２３から入力される電池残量を示す信号に基づいて、電池残量を取得する。
ステップＳ３において、状態判定部１１ｉは、電池残量が予め設定された閾値未満であるか否かを判定する。
電池残量が予め設定された閾値未満でない場合、ステップＳ２においてＮＯと判定されて、処理はステップＳ４に移行する。
一方、電池残量が予め設定された閾値未満である場合、ステップＳ２においてＹＥＳと判定されて、処理はステップＳ６に移行する。
【００４８】
ステップＳ４において、センサ情報取得部１１ｄは、センサ部２０に備えられた各種センサの検出信号を取得する。
ステップＳ５において、状態判定部１１ｉは、センサ情報取得部１１ｄによって取得された各種センサ（ジャイロセンサあるいは３軸加速度センサ等）の検出信号に基づいて、情報処理装置１００の状態がユーザに見られていない使用状態であるか否かを判定する。具体的には、情報処理装置１００が静止しているか（ユーザの腕に装着されていない状態か）、ユーザが腕をかざし情報処理装置１００を見る場合の姿勢となっているか、ユーザが腕を下げる動作を行ったか、ユーザの腕振り（走行または歩行時に腕を振る動作）が検出されたか等の状態が判定される。
情報処理装置１００がユーザに見られていない使用状態である場合、ステップＳ５においてＹＥＳと判定されて、処理はステップＳ６に移行する。
情報処理装置１００がユーザに見られていない使用状態でない場合、ステップＳ５においてＮＯと判定されて、処理はステップＳ２に移行する。
【００４９】
ステップＳ６において、モード設定部１１ｆは、表示モードをクラシックモードに設定する。これにより、第１表示部１６ａの動作は停止され、第２表示部１６ｂにおいて、腕時計として時刻を表示する画面が表示される状態となる。
【００５０】
ステップＳ７において、状態判定部１１ｉは、クラシックモードでは表示できない情報を表示する必要が生じているか否かの判定を行う。
クラシックモードでは表示できない情報を表示する必要が生じている場合、ステップＳ７においてＹＥＳと判定されて、処理はステップＳ８に移行する。
クラシックモードでは表示できない情報を表示する必要が生じていない場合、ステップＳ７においてＮＯと判定されて、ステップＳ７の処理が繰り返される。
【００５１】
ステップＳ８において、連携処理部１１ｇは、第１表示部１６ａに第２表示部１６ｂと同一の情報を重畳して表示させる。
ステップＳ９において、モード設定部１１ｆは、表示モードをインタラクティブモード（またはアンビエントモード）に設定する。
ステップＳ９の後、処理はステップＳ２に移行する。
このような処理により、ユーザが情報処理装置１００の表示画面を見ていない場合や、情報処理装置１００の電池残量が少なくなった場合に、モード設定部１１ｆが、情報処理装置１００における表示をクラシックモードに変更し、第２表示部１６ｂにおける腕時計の表示のみを行うことができる。
したがって、第１表示部１６ａ及び第２表示部１６ｂの２つの表示部を有する場合であっても、情報処理装置１００において、より低消費電力で表示を行うことが可能となる。
【００５２】
また、クラシックモードからインタラクティブモードに移行する際に、第１表示部１６ａと第２表示部１６ｂとに一時的に同一の情報が重畳して表示された後、インタラクティブモード（またはアンビエントモード）に移行される。
即ち、図４（Ａ）に示すように、クラシックモードにおいて、第１表示部１６ａの動作が停止され、第２表示部１６ｂによって腕時計の表示が行われている状態から、図４（Ｂ）に示すように、第１表示部１６ａと第２表示部１６ｂとに一時的に同一の情報が表示される状態（第２表示部１６ｂの表示内容を第１表示部１６ａが模した表示状態）に移行される。その後、インタラクティブモードあるいはアンビエントモードに移行し、図４（Ｃ）に示すように、第２表示部１６ｂの動作が停止されると共に、第１表示部１６ａによって任意のメッセージ等を表示可能な状態となる。
したがって、クラシックモードからインタラクティブモードあるいはアンビエントモードに移行する際に、表示画面をスムーズに移行させることができ、ユーザに違和感を与えることを抑制できる。
【００５３】
［変形例１］
上述の実施形態において、クラシックモードからインタラクティブモードあるいはアンビエントモードに表示モードを切り替える際に、連携処理部１１ｇが第１表示部１６ａと第２表示部１６ｂとに一時的に同一の情報を重畳して表示させた後、情報処理装置１００がインタラクティブモード（またはアンビエントモード）に移行するものとして説明した。
これに対し、クラシックモードからインタラクティブモードあるいはアンビエントモードに表示モードを切り替える際に、第１表示部１６ａと第２表示部１６ｂとに一時的に重畳して表示させる情報を異なる形態とすることができる。即ち、第１表示部１６ａと第２表示部１６ｂとは、積層して配置されているため、同一の情報を表示した場合でも、ユーザから見て、わずかにずれが認識される可能性がある。そこで、第２表示部１６ｂにおいてクラシックモードで表示されている情報よりも、表示モードの切り替え時に第１表示部１６ａにおいて表示する情報を拡大または縮小して表示することができる。
即ち、変形例１の表示形態では、第２表示部１６ｂによって表示される限定的な情報（第１の情報）を第１表示部１６ａが一時的に表示する場合の形態と、第２表示部１６ｂが表示する場合の形態とが異なるものとされている。
【００５４】
図５は、表示モードの切り替え時に表示する情報の大きさを示す模式図であり、図５（Ａ）は、第１表示部２６ａに表示される情報のサイズを第２表示部２６ｂに表示されるサイズよりも大きくした状態を示す図、図５（Ｂ）は、第１表示部２６ａに表示される情報のサイズを第２表示部２６ｂに表示されるサイズよりも小さくした状態を示す図である。
【００５５】
図５（Ａ）に示すように、例えば、第２表示部１６ｂにおいて表示されているセグメントよりも第１表示部１６ａにおいて重畳して表示するセグメントの太さを太くすることができる。
この場合、第１表示部１６ａと第２表示部１６ｂとに一時的に重畳して表示させた情報が、ユーザから見てずれているとは認識されず、第２表示部１６ｂに表示された情報の各要素（各セグメント等）が、その背後に位置する第１表示部１６ａに表示された情報の各要素の領域に包含されることとなる。このとき、ユーザから見て、表示されている情報の各要素がやや拡大したように認識される。そして、第２表示部１６ｂの動作を停止した場合、第１表示部１６ａの表示が維持されるため、ユーザから見て、表示された情報のずれが認識されることが抑制される。なお、この後、第１表示部１６ａに表示された情報の各要素を縮小し、通常の大きさに戻すことができる。
【００５６】
また、これとは反対に、図５（Ｂ）に示すように、例えば、第２表示部１６ｂにおいて表示されているセグメントよりも第１表示部１６ａにおいて重畳して表示するセグメントの太さを細くすることができる。
この場合、第１表示部１６ａと第２表示部１６ｂとに一時的に重畳して表示させた情報が、ユーザから見てずれているとは認識されず、第２表示部１６ｂに表示された情報の各要素（各セグメント等）の領域に、その背後に位置する第１表示部１６ａに表示された情報の各要素が包含されることとなる。このとき、ユーザから見て、表示されている情報の各要素にはほぼ変化がない。そして、第２表示部１６ｂの動作を停止した場合、第１表示部１６ａの表示が表れる。このとき、ユーザから見て、表示されている情報の各要素がやや縮小したように認識される。即ち、ユーザから見て、表示された情報のずれが認識されることが抑制される。なお、この後、第１表示部１６ａに表示された情報の各要素を拡大し、通常の大きさに戻すことができる。
このような場合にも、表示画面をスムーズに移行させることができ、ユーザに違和感を与えることを抑制できる。
【００５７】
［変形例２］
上述の実施形態において、クラシックモードからインタラクティブモードあるいはアンビエントモードに表示モードを切り替える際に、連携処理部１１ｇが第１表示部１６ａと第２表示部１６ｂとに一時的に同一の情報を重畳して表示させるものとして説明したが、これに限られない。即ち、クラシックモードからインタラクティブモードあるいはアンビエントモードに表示モードを切り替える際に、連携処理部１１ｇが第１表示部１６ａと第２表示部１６ｂとに一時的に重畳して表示させる情報は、第２表示部１６ｂに表示されている情報の一部であってもよい。
【００５８】
図６（Ａ）〜図６（Ｃ）は、表示制御処理が実行される際の情報処理装置１００の表示画面の状態の一例（変形例）を示す模式図であり、図６（Ａ）はクラシックモードにおける表示状態を示す図、図６（Ｂ）はクラシックモードからインタラクティブモード（またはアンビエントモード）に移行する際の表示状態を示す図、図６（Ｃ）はインタラクティブモード（またはアンビエントモード）における表示状態を示す図である。
図６（Ａ）に示すクラシックモードから、図６（Ｃ）に示すインタラクティブモードあるいはアンビエントモードに表示モードが切り替えられる場合、切り替え中の表示画面において、図６（Ｂ）に示すように、第１表示部１６ａが、表示画面の一部に任意のメッセージ等を表示する領域を形成すると共に、残りの部分について、第２表示部１６ｂの表示と同一の情報を一時的に重畳して表示させることができる。なお、第１表示部１６ａが、表示画面の一部に任意のメッセージ等を表示する領域については、図６（Ｂ）における第２表示部１６ｂの「５３」（秒を表す数字）の部分に対応する部分のように、第２表示部１６ｂは表示を行わない状態（光を透過する状態）とできる。
この場合にも、表示画面をスムーズに移行させることができ、ユーザに違和感を与えることを抑制できると共に、ユーザに対して、早期に任意のメッセージ等を報知することができる。
【００５９】
［変形例３］
上述の実施形態において、第１表示部１６ａが、時刻に加えて、他の情報（任意のメッセージ等）を表示している場合に、状態判定部１１ｉが、継続して表示している時間を計測し、計測された時間が閾値に達したときには、第２表示部１６ｂによる時刻の表示（クラシックモード）に切り替えることとしてもよい。
これにより、クラシックモードでの表示を行うタイミングを増加させ、情報処理装置１００をより低消費電力なものとできる。
［変形例４］
上述の実施形態において、クラシックモードでは表示できない情報を表示する必要が生じた場合に、インタラクティブモードあるいはアンビエントモードに切り替えるものとして説明したが、これに限られない。
例えば、第２表示部１６ｂで表示を行うクラシックモードから、第１表示部１６ａで表示を行うように切り替える場合、アンビエントモードに切り替えることとしてもよい。この場合、インタラクティブモードに切り替える場合には、アンビエントモードからのみ切り替えられる。
一方、第２表示部１６ｂでクラシックモードによる表示を行うように切り替える場合、第１表示部１６ａでアンビエントモードによる表示が行われている状態から切り替えることとしてもよい。この場合、インタラクティブモードからは、アンビエントモードにのみ切り替えられる。
即ち、インタラクティブモードとアンビエントモード、アンビエントモードとクラシックモードとは、相互に切り替え可能とし、インタラクティブモードとクラシックモードとは切り替え不可能とする設定としてもよい。
換言すると、インタラクティブモードは第１表示部１６ａで常に情報を表示するモード、クラシックモードは第２表示部１６ｂで常に情報を表示するモード、アンビエントモードは、第１表示部１６ａ及び第２表示部１６ｂでの表示を切り替え可能なモードとして設定することができる。
これにより、各モードと表示部の使用形態とを対応付けることができ、各モードを使用するシチュエーションを明確化することができる。
【００６０】
以上のように構成される情報処理装置１００は、第１表示部１６ａと、第２表示部１６ｂと、第１表示制御部１７と、第２表示制御部１８と、連携処理部１１ｇと、を備える。
第１表示制御部１７は、第１の情報を第２表示部１６ｂに表示させる。
第２表示制御部１８は、時刻情報（第１の情報）の少なくとも一部と、第２表示部１６ｂで表示不能である多様な表示情報（第２の情報）とを、第１表示部１６ａに表示させる。
連携処理部１１ｇは、第１表示制御部１７又は第２表示制御部１８の制御を択一的に選択する。
これにより、第１表示部１６ａ及び第２表示部１６ｂの２つの表示部を有する場合であっても、情報処理装置１００において、より低消費電力で表示を行うことが可能となる。
【００６１】
また、情報処理装置１００は、通信部２２と、状態判定部１１ｉとを備える。
通信部２２は、第２表示部１６ｂで表示不能である多様な表示情報を取得する。
状態判定部１１ｉは、通信部２２が、第２表示部１６ｂで表示不能である多様な表示情報を取得したか否かを判定する。
連携処理部１１ｇは、通信部２２が第２表示部１６ｂで表示不能である多様な表示情報を取得したと状態判定部１１ｉが判定した場合に、第１表示制御部１７の制御を選択する。
これにより、情報処理装置１００において、より低消費電力で表示を行いつつ、多様な情報を表示することが可能となる。
【００６２】
第２表示制御部１８が、第２表示部１６ｂに時刻情報を表示させている状態で、通信部２２が第２表示部１６ｂで表示不能である多様な表示情報を取得したと状態判定部１１ｉが判定した場合に、連携処理部１１ｇは、第２表示制御部１８による第２表示部１６ｂの制御を止めて、時刻情報及び第２表示部１６ｂで表示不能である多様な表示情報を第１表示部１６ａに表示させるように第１表示制御部１７の制御を選択する。
これにより、第２表示部１６ｂによる表示から第１表示部１６ａによる表示に移行する際に、表示画面をスムーズに移行させることができ、ユーザに違和感を与えることを抑制できる。
【００６３】
通信部２２が第２表示部１６ｂで表示不能である多様な表示情報を取得したと状態判定部１１ｉが判定した場合に、連携処理部１１ｇは、時刻情報の一部及び第２表示部１６ｂで表示不能である多様な表示情報を第１表示部１６ａに表示させるように第１表示制御部１７の制御を選択する。
これにより、時刻情報の一部を継続して表示しつつ、他の部分において多様な表示情報を表示することができる。
【００６４】
また、通信部２２は、情報処理装置１００と通信によって接続された他の装置より第２表示部１６ｂで表示不能である多様な表示情報を取得する。
これにより、時刻情報を表示している状態で、ペアリングされたスマートフォン等、他の装置から受信した種々の情報を逐次表示することが可能となる。
【００６５】
第２表示部１６ｂは第１表示部１６ａよりも消費電力が低い。
これにより、第２表示部１６ｂによって時刻情報を低消費電力で表示しながら、第２表示部１６ｂで表示できない情報を第１表示部１６ａで逐次表示することが可能となる。
【００６６】
第２表示部１６ｂは単純マトリクス型の液晶表示装置であり、第１表示部１６ａはアクティブマトリックス型の液晶表示装置である。
これにより、第１表示部１６ａにおいて高機能な表示を高速に行えると共に、第２表示部１６ｂにおいて低消費電力で限定的な表示を行うことができる。
【００６７】
また、情報処理装置１００は、モード設定部１１ｆを備える。
モード設定部１１ｆは、第１表示部１６ａのみで所定の情報を常時表示するインタラクティブモードと、第１表示部１６ａ又は第２表示部１６ｂを所定のタイミングで切り替えるアンビエントモードとを切り替える。
モード設定部１１ｆにより、インタラクティブモードに切り替えられると、連携処理部１１ｇは、第１表示部１６ａに所定の情報を常に表示するように第１表示制御部１７の制御を選択する。
これにより、インタラクティブモードでは、第１表示部１６ａによる高機能な表示を常に行うことができ、アンビエントモードでは、第２表示部１６ｂによる表示に適宜切り替えることができる。
【００６８】
モード設定部１１ｆは、第２表示部１６ｂのみで所定の情報を常時表示するクラシックモードと、第１表示部１６ａ又は第２表示部１６ｂを所定のタイミングで切り替えるアンビエントモードとを切り替える。
モード設定部１１ｆにより、アンビエントモードに切り替えられると、連携処理部１１ｇは、第２表示部１６ｂに時計情報のみを常に表示するように第２表示制御部１８の制御を選択する。
これにより、クラシックモードでは、第２表示部１６ｂによる低消費電力な表示を常に行うことができ、アンビエントモードでは、第１表示部１６ａによる表示に適宜切り替えることができる。
【００６９】
状態判定部１１ｉは、第１表示部１６ａにより、時刻情報及び第２表示部１６ｂで表示不能である多様な表示情報が表示された時間をカウントする。
状態判定部１１ｉは、カウントされた時間が所定の時間を過ぎた場合、第１表示部１６ａの制御を止めて、時刻情報のみを第２表示部１６ｂに表示させるように第２表示制御部１８の制御を選択する。
これにより、第２表示部１６ｂでの表示を行うタイミングを増加させ、情報処理装置１００をより低消費電力なものとできる。
【００７０】
第１表示部１６ａに表示する際の時刻情報の形態と、第２表示部１６ｂに表示する際の時刻情報の形態とは異なる。
これにより、第１表示部１６ａ及び第２表示部１６ｂの設置状態に応じて、ずれを目立たせない表示等を行うことができる。
【００７１】
なお、本発明は、上述の実施形態に限定されるものではなく、本発明の目的を達成できる範囲での変形、改良等は本発明に含まれるものである。
【００７２】
上述の実施形態において、クラシックモードからインタラクティブモードあるいはアンビエントモードに表示モードを切り替える際に、連携処理部１１ｇが第１表示部１６ａと第２表示部１６ｂとに一時的に情報を重畳して表示させる場合、非表示状態において視認される第２表示部１６ｂのセグメントの境界（セグメントのエッジ）を第１表示部１６ａにおいて表示することとしてもよい。これにより、第２表示部１６ｂの表示内容により近い表示を行うことができ、表示画面の移行時にユーザに与える違和感をより抑制できる。
【００７３】
また、上述の実施形態において、第２表示部１６ｂに表示される情報には、時計表示のセグメントの他、固定的あるいは選択的に表示されるオブジェクトを含めることができる。例えば、電池残量を示すアイコンや通信の接続状態を示すアイコン、あるいは、充電を促すメッセージ等を第２表示部１６ｂで表示することができる。
また、上述の実施形態において、第２表示部１６ｂは、電位が掛けられていない部位で光を透過可能となる方式の表示装置を用いることとしてもよい。
【００７４】
また、上述の実施形態では、本発明が適用される情報処理装置１００は、ウェアラブルな情報処理装置を例として説明したが、特にこれに限定されない。
例えば、本発明は、情報処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００７５】
また、上述の実施形態において、第２表示部１６ｂをＰＮ型液晶パネルであるものとして説明したが、これに限られない。第２表示部１６ｂは、液晶に印加する電位に応じて、光を透過する状態となる表示デバイスであればよく、例えば、ＰＮ型以外の高分子分散（ＰＤ：Ｐｏｌｙｍｅｒ  Ｄｉｓｐｅｒｓｅｄ）型液晶パネル、有機ＥＬ（Ｅｌｅｃｔｒｏ−Ｌｕｍｉｎｅｓｃｅｎｃｅ）パネル、無機ＥＬパネル、ＴＦＴ液晶パネル等の透過型の表示デバイスを用いることができる。
【００７６】
また、上述の実施形態において、第２表示部１６ｂを第１表示部１６ａの表示画面上に積層するものとして説明したが、これに限られない。即ち、第１表示部１６ａを透過型の表示デバイスで構成することにより、第１表示部１６ａを第２表示部１６ｂの表示画面上に積層することも可能である。
【００７７】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が情報処理装置１００に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００７８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７９】
このようなプログラムを含む記録媒体は、ユーザにプログラムを提供するために装置本体とは別に配布されるリムーバブルメディアにより構成されるだけでなく、装置本体に予め組み込まれた状態でユーザに提供される記録媒体等で構成される。リムーバブルメディアは、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１３や、図２の記憶部１５に含まれるハードディスク等で構成される。
【００８０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００８１】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００８２】
以下に、本願の出願当初の特許請求の範囲に記載された発明を付記する。
［付記１］
第１の情報を第１の表示手段に表示させる第１表示制御手段と、
前記第１の情報の少なくとも一部と、前記第１の表示手段で表示不能である第２の情報とを、第２の表示手段に表示させる第２表示制御手段と、
前記第１表示制御手段又は第２表示制御手段の制御を択一的に選択する表示選択手段と、
を備えることを特徴とする表示制御装置。
［付記２］
前記第２の情報を取得する情報取得手段と、
前記情報取得手段が、前記第２の情報を取得したか否かを判定する判定手段と、を備え、
前記表示選択手段は、前記情報取得手段が前記第２の情報を取得したと前記判定手段が判定した場合に、前記第２表示制御手段の制御を選択することを特徴とする付記１に記載の表示制御装置。
［付記３］
前記第１表示制御手段が、前記第１の表示手段に前記第１の情報を表示させている状態で前記情報取得手段が前記第２の情報を取得したと前記判定手段が判定した場合に、前記表示選択手段は、前記第１表示制御手段による前記第１の表示手段の制御を止めて、前記第１の情報及び前記第２の情報を前記第１の表示手段に表示させるように前記第２表示制御手段の制御を選択することを特徴とする付記２に記載の表示制御装置。
［付記４］
前記情報取得手段が前記第２の情報を取得したと前記判定手段が判定した場合に、前記表示選択手段は、前記第１の情報の一部及び前記第２の情報を前記第２の表示手段に表示させるように前記第２表示制御手段の制御を選択することを特徴とする付記２又は３に記載の表示制御装置。
［付記５］
前記情報取得手段は、当該表示制御装置と通信によって接続された他の装置より前記第１の情報を取得することを特徴とする付記２から４のいずれかに１つに記載の表示制御装置。
［付記６］
前記第１の表示手段は前記第２の表示手段よりも消費電力が低いことを特徴とする付記１から５のいずれか１つに記載の表示制御装置。
［付記７］
前記第１の表示手段は単純マトリクス型の液晶表示装置であり、前記第２の表示手段はアクティブマトリックス型の液晶表示装置であることを特徴とする付記１から６のいずれか１つに記載の表示制御装置。
［付記８］
前記第２の表示手段のみで所定の情報を常時表示する第１モードと、前記表示選択手段により前記第１表示制御手段又は前記第２表示制御手段を所定のタイミングで切り替える第２のモードとを切り替えるモード切替手段を備え、
前記モード切替手段により、前記第１モードに切り替えられると、前記表示選択手段は、第２の表示手段に所定の情報を常に表示するように前記第２表示制御手段の制御を選択することを特徴とする付記１から７のいずれか１つに記載の表示制御装置。
［付記９］
前記第１の表示手段のみで所定の情報を常時表示する第３のモードと、前記表示選択手段により前記第１表示制御手段又は前記第２表示制御手段を所定のタイミングで切り替える第２のモードとを切り替えるモード切替手段を備え、
前記モード切替手段により、前記第３のモードに切り替えられると、前記表示選択手段は、前記第１の表示手段に前記第１の情報のみを常に表示するように前記第１表示制御手段の制御を選択することを特徴とする付記１から７のいずれか１つに記載の表示制御装置。
［付記１０］
前記第２の表示手段により、前記第１の情報及び第２の情報が表示された時間をカウントする時間カウント手段を備え、
前記時間カウント手段によりカウントされた時間が所定の時間を過ぎた場合、前記表示選択手段は、第２表示制御手段による前記第２の表示手段の制御を止めて、前記第１の情報のみを前記第１の表示手段に表示させるように前記第１表示制御手段の制御を選択することを特徴とする付記１から９のいずれか１つに記載の表示制御装置。
［付記１１］
前記第２の表示手段に表示する際の前記第１の情報の形態と、前記第１の表示手段に表示する際の前記第１の情報の形態とは異なることを特徴する付記１から１０のいずれか１つに記載の表示制御装置。
［付記１２］
情報処理装置が実行する表示制御方法であって、
第１の情報を第１の表示手段に表示させる第１表示制御ステップと、
前記第１の情報の少なくとも一部と、前記第１の表示手段で表示不能である第２の情報とを、第２の表示手段に表示させる第２表示制御ステップと、
前記第１表示制御ステップ又は第２表示制御手段の制御を択一的に選択する表示選択ステップと、
を含むことを特徴とする表示制御方法。
［付記１３］
情報処理装置を制御するコンピュータに、
第１の情報を第１の表示手段に表示させる第１表示制御機能と、
前記第１の情報の少なくとも一部と、前記第１の表示手段で表示不能である第２の情報とを、第２の表示手段に表示させる第２表示制御機能と、
前記第１表示制御機能又は第２表示制御機能の制御を択一的に選択する表示選択機能と、
を実現させることを特徴とするプログラム。
【符号の説明】
【００８３】
１・・・本体部，２・・・バンド部，１００・・・情報処理装置，１１・・・第１ＣＰＵ，１１ａ，１２ａ・・・プログラムカウンタ，１１ｂ，１２ｂ・・・制御部，１１ｃ・・・時刻取得部，１１ｄ・・・センサ情報取得部，１１ｅ・・・表示処理部，１１ｆ・・・モード設定部，１１ｇ・・・連携処理部，１１ｈ・・・通信処理部，１１ｉ・・・状態判定部，１２・・・第２ＣＰＵ，１２ｃ・・・計時部，１２ｄ・・・表示処理部，１３・・・ＲＯＭ，１４・・・ＲＡＭ，１５・・・記憶部，１６・・・表示部，１６ａ・・・第１表示部，１６ｂ・・・第２表示部，１７・・・第１表示制御部，１８・・・第２表示制御部，１９・・・操作部，２０・・・センサ部，２１・・・ＲＴＣ部，２２・・・通信部，２３・・・電源部
【図１】
0006699166.tif 000002
【図２】
0006699166.tif 000003
【図３】
0006699166.tif 000004
【図４】
0006699166.tif 000005
【図５】
0006699166.tif 000006
【図６】
0006699166.tif 000007